(57)【要約】【課題】ＲＳＳフィードの情報を活用することで、利用者の意向に沿った最適な情報を提示できる情報検索装置を提供すること。【解決手段】ユーザーが、この情報検索システム１０にログインし(Ｓ１０）、検索のための問い合わせ文を検索部１４に入力する(Ｓ１１）。検索部１４は、認証情報をフィード管理部１２に与え、登録されたＲＳＳフィード１８から利用者別の検索補助情報を取得し(Ｓ１２）、問い合わせ文に合致する文書を求め、取得した検索補助情報を使って求められた文書の順番を変更したり、フィルタリングを行う（Ｓ１３）。その後、図４に示すような結果を表示装置３２に表示する(Ｓ１４）。【選択図】図３
2009054040.tif 000002
【特許請求の範囲】
【請求項１】
各ユーザー毎のＲＳＳフィードを取得する取得手段と、
前記取得手段で取得したＲＳＳフィードを各ユーザー毎に登録する登録手段と、
アクセスしてきたユーザーのユーザーＩＤを取得して、当該ユーザーを認証する認証手段と、
前記認証手段で認証を受けたユーザーからの入力により、検索すべき問い合わせ文を受領する受領手段と、
前記受領手段で受領した問い合わせ文に応じた検索を実行する検索手段と、を備え、
前記検索手段は、前記登録手段に登録されている、前記認証手段で認証されたユーザーに対応したＲＳＳフィードを取得し、この取得したＲＳＳフィードを加味して検索を行うことを特徴とする情報検索装置。
【請求項２】
前記検索手段が、取得したＲＳＳフィードに加えて、他の検索補助情報も取得して検索を行うことを特徴とする請求項１記載の情報検索装置。
【請求項３】
検索手段による検索に用いる他の検索補助情報の条件を設定する設定手段をさらに備えたことを特徴とする請求項２記載の情報検索装置。
【請求項４】
各ユーザー毎のＲＳＳフィードを取得する取得機能と、
前記取得機能で取得したＲＳＳフィードを各ユーザー毎に登録する登録機能と、
アクセスしてきたユーザーのユーザーＩＤを取得して、当該ユーザーを認証する認証機能と、
前記認証機能で認証を受けたユーザーからの入力により、検索すべき問い合わせ文を受領する受領機能と、
前記受領機能で受領した問い合わせ文に応じた検索を実行する検索機能と、を備え、
前記検索機能は、前記登録機能で登録されている、前記認証機能で認証されたユーザーに対応したＲＳＳフィードを取得し、この取得したＲＳＳフィードを加味して検索を行うことをコンピュータに実現させる情報検索プログラムが格納された記憶媒体。
【発明の詳細な説明】
【技術分野】
【０００１】
本発明は、ＲＳＳフィードを用いた情報検索技術に関する。
【背景技術】
【０００２】
近年、インターネットの利用の拡大に伴い、インターネットを利用した種々の情報検索を行う技術が普及しており、例えば、企業内においても、様々なインターネットを利用した情報検索の仕組みが提供されている。
一般的な情報検索では、利用者が検索用問い合わせ文を入力し、その条件に合致する文書を、ある基準に従ってランキングを行い、これを表示するようになっている。
しかし、本来、同じ問い合わせ文でも、問い合わせを行う利用者により、求めている情報は相違する。このような場合に、利用者毎に最適な検索結果を提供するための仕組みとして、様々な方法が考案されている。
【０００３】
【特許文献１】特開２００６−１０７４７３
【０００４】
特許文献１には、パーソナル化された検索方法および情報アクセスを提供する方法に関する技術が開示されている。ここでは、利用者の様々な活動をグローバルな統計情報として処理を行い、検索結果の反映する方法が開示されている。
【発明の開示】
【発明が解決しようとする課題】
【０００５】
ところで、最近では、利用者がよく閲覧するブログやＷｅｂページを登録し、効率的に情報を収集する仕組みが提案されている。例えば、ＲＳＳ（ＲＤＦ  Ｓｉｔｅ  ＳｕｍｍａｒｙまたはＲｉｃｈ  Ｓｉｔｅ  Ｓｕｍｍａｒｙ）フィードとよばれる更新情報が、ブログ、Ｗｅｂページだけでなく、グループウェア等の様々なシステムから配信されている。利用者は、自分が普段気にしている情報源からのＲＳＳフィードを登録することで、効率的に、こちらの情報源から利用者が興味のある情報を取得することができるようになっている。
そこで、本発明の目的は、普段利用者が取得しているＲＳＳフィードの情報を活用することで、利用者の意向に沿った最適な情報を提示できる情報検索装置および情報検索プログラムが格納された記憶媒体を提供することである。
【課題を解決するための手段】
【０００６】
請求項１記載の発明では、情報検索装置が、各ユーザー毎のＲＳＳフィードを取得する取得手段と、前記取得手段で取得したＲＳＳフィードを各ユーザー毎に登録する登録手段と、アクセスしてきたユーザーのユーザーＩＤを取得して、当該ユーザーを認証する認証手段と、前記認証手段で認証を受けたユーザーからの入力により、検索すべき問い合わせ文を受領する受領手段と、前記受領手段で受領した問い合わせ文に応じた検索を実行する検索手段と、を備え、前記検索手段は、前記登録手段に登録されている、前記認証手段で認証されたユーザーに対応したＲＳＳフィードを取得し、この取得したＲＳＳフィードを加味して検索を行うことを特徴とする。
請求項２記載の発明では、請求項１記載の発明において、前記検索手段が、取得したＲＳＳフィードに加えて、他の検索補助情報も取得して検索を行うことを特徴とする。
請求項３記載の発明では、請求項２記載の発明において、検索手段による検索に用いる他の検索補助情報の条件を設定する設定手段をさらに備えたことを特徴とする。
請求項４記載の発明では、各ユーザー毎のＲＳＳフィードを取得する取得機能と、前記取得機能で取得したＲＳＳフィードを各ユーザー毎に登録する登録機能と、アクセスしてきたユーザーのユーザーＩＤを取得して、当該ユーザーを認証する認証機能と、前記認証機能で認証を受けたユーザーからの入力により、検索すべき問い合わせ文を受領する受領機能と、前記受領機能で受領した問い合わせ文に応じた検索を実行する検索機能と、を備え、前記検索機能は、前記登録機能で登録されている、前記認証機能で認証されたユーザーに対応したＲＳＳフィードを取得し、この取得したＲＳＳフィードを加味して検索を行うことをコンピュータに実現させる情報検索プログラムが格納された記憶媒体により、前記目的を達成する。
【発明の効果】
【０００７】
各請求項記載の発明によれば、ＲＳＳフィードの登録により、利用者は情報検索時に、利用者にとって、より効率の高い検索結果を得ることができる。
【発明を実施するための最良の形態】
【０００８】
以下、本発明の好適な実施の形態を図１ないし図４を参照して、詳細に説明する。
図１は、本発明の実施例に係る情報検索システム１０の構成を示したブロック図である。
この情報検索システム１０は、フィード管理部１２、検索部１４および認証部１６を備えている。
フィード管理部１２は、利用者がＲＳＳフィード１８を登録し、登録されたＲＳＳフィード１８の情報を集約する。そして、検索部１４での検索の際に、検索補助情報として与える。また、フィード管理部１２は、認証部１６からの認証情報により、利用者毎にフィードの管理を行う。さらに、検索補助情報として、フィードそのもの、フィードからさらに指定したキーワードに合致したもの、検索対象と特定のフィードの関係、利用者が指定した期間など、様々な条件を設定することができるようになっている。これにより、利用者の意図により沿った検索結果を得ることができる。
検索部１４は、利用者が入力する問い合わせ文を使い、検索条件に合致する文書情報を表示する。検索条件を指定するため文書中に含まれる単語を与えるキーワード検索等手段の他に、文書の属性（作成者、作成日、ファイル種別等）の指定や、文書情報を取得した期間等の検索用データ２０を指定して検索することができる。
このとき、認証部１６の認証情報をフィード管理部１２に与えて、利用者毎の検索補助情報を取得し、それによって検索結果を調整して表示装置３２により利用者に対して表示する。
認証部１６は、利用者からのＩＤとパスワードの入力により、利用者を特定するための認証情報を作成する。この作成した認証情報により、フィード管理部１２にて管理されている自分の検索補助情報を取得することができる。
【０００９】
図２は、本発明の実施例に係る情報検索システム１０の内部構成を示したブロック図である。
この情報検索システム１０には、ＣＰＵ（中央処理装置）３０、表示装置３２、入力装置３４、メモリ３６、外部記憶装置３８およびこれらをデータ送受信可能に接続するバス４０から構成されている。
【００１０】
図３は、本発明の実施例の処理手順を示したフローチャートである。
まず、ユーザーが、認証部１６にＩＤとパスワードを与え、この情報検索システム１０にログインし(ステップ１０）、検索のための問い合わせ文を検索部１４に入力する(ステップ１１）。そして、検索部１４は、認証情報をフィード管理部１２に与え、登録されたＲＳＳフィード１８から利用者別の検索補助情報を取得する(ステップ１２）。
検索部１４は、問い合わせ文に合致する文書を求め、取得した検索補助情報を使って求められた文書の順番を変更したり、フィルタリングを行う（ステップ１３）。その後、その結果を表示装置３２に表示することで、ユーザーに提示する(ステップ１４）。
【００１１】
図４は、本実施例による情報検索の例を示した図である。
利用者からのＩＤとパスワードの入力により、利用者を利用者表示４０に表示する。そして、利用者を特定するための認証情報を作成し、この作成された認証情報により、フィード管理部１２にて管理されている当該検索者の検索補助情報を取得する。
次に、検索用キーワードを問い合わせ文入力エリア４２に入力され、検索実行ボタン４４がクリックされると、当該利用者に対応した検索結果が表示装置３２に一覧表示される。
この図に示すように、同じ「特許」という問い合わせ文が入力されても、検索者Ａと検索者Ｂでは、異なった検索結果、即ち当該検索者のニーズに合致した検索結果が表示装置３２に表示される。
【図面の簡単な説明】
【００１２】
【図１】本発明の実施例に係る情報検索システムの構成を示したブロック図である。
【図２】本発明の実施例に係る情報検索システムの内部構成を示したブロック図である。
【図３】本発明の実施例における検索処理の手順を示したフローチャートである。
【図４】本発明の実施例による情報検索の例を示した図である。
【符号の説明】
【００１３】
１０  情報検索システム
１２  フィード管理部
１４  検索部
１６  認証部
１８  ＲＳＳフィード
２０  検索用データ
３２  表示装置
【図１】
2009054040.tif 000003
【図２】
2009054040.tif 000004
【図３】
2009054040.tif 000005
【図４】
2009054040.tif 000006